Podtech/llm-jp-corpus-v4-ja_patent huggingface dataset:
(57)【要約】【課題】この発明は、飲料缶を直接手で持たないで飲んだり、注いだり出来る取っ手型飲料缶保持具である。【解決手段】飲料缶の外径と底部がほぼ等しい内径の受け皿を設け、支柱に装着したゴムテ−プと取っ手から構成される取っ手型飲料缶保持具である。【選択図】図１
2007314241.tif 000002
【特許請求の範囲】
【請求項１】
飲料缶の外径とほぼ等しい内径の受け皿を設け、支柱に装着したゴムテープと取っ手から構成される取っ手型飲料缶保持具
【発明の詳細な説明】
【技術分野】
【０００１】この発明は、飲料缶を直接手で持たないで、飲んだり注いだり出来る取っ手型飲料缶保持具に関するものである。
【背景技術】
【０００２】飲料缶は直接手で持って飲んだり注いだりする。
【発明の開示】
【発明が解決しようとする課題】
【０００３】そのために、次のような問題点が生じていた。
（イ）飲料缶の種類によっては缶の表面が熱いのや冷たいのがあり、又濡れている缶もあるのでこのような飲料缶を直接手で持つと継続しては持ちにくいので飲んだり注いだりがしずらい。
（ロ）濡れている飲料缶を直接手で持つと、手が濡れる不快感と飲料缶がすべるおそれがある上に飲料缶を置いたところが濡れる。
（ハ）握力が弱い高齢者や幼児、手が不自由な人にとっては飲料缶を直接手で持って飲んだり注いだりするのは手に大きな負担がかかる。
（ニ）飲料缶を直接手で持って飲んだり注いだりするのが似合わない、雰囲気にあわない、スマ−トでない、おしゃれでないと感じられる商業施設や式典などがある
本発明は、以上の問題点を解決したものである。
【課題を解決するための手段】
【０００４】飲料缶の外径とほぼ等しい内径の受け皿を設け、支柱に装着したゴムバンドと取っ手から構成される取っ手型飲料缶保持具である。
【発明の効果】
【０００５】（イ）飲料缶を間接的に持てるので、手が熱かったり、冷たかったり又、濡れたりしないので飲料缶を継続して持って飲んだり、注いだり出来てさらに手が濡れる不快感がない
（ロ）握力が弱い高齢者や子供、手が不自由な人も飲料缶を受け皿に置きゴムテ−プで固定する２動作で簡単に取っ手を持って飲んだり、注いだり出来る。
（ハ）飲料缶を取っ手で持つので直接手で持つよりもスマ−トでおしゃれな感じがするので商業施設や式典などでも飲料缶を飲んだり、注いだりできる。
（ニ）受け皿と支柱部分は取り付け、取り外しが簡単で２つに分離出来るので収納や持ち運びに小さくして携帯出来る。
【発明を実施するための最良の形態】
【０００６】以下、発明の形態について説明する。
（イ）飲料缶の外径とほぼ等しい内径の受け皿（１）を設ける。
（ロ）受け皿（１）の底部を下から支え、先端と後端に接着部分を付けたゴムバンド（４）と飲料缶を持ち上げる取っ手（３）を装着した支柱（２）から構成される取っ手型飲料缶保持具である。
以下、使用法について説明する。
飲料缶を受け皿（１）に差し入れると飲料缶の下部が固定される。その飲料缶の前面をゴムテ−プ（４）で１周させてゴムテ−プ（４）の先端の接着部分（５）を後端の接着部分（６）と接着させるとゴムテ−プ（４）の伸縮力で固定され飲料缶全体が安定するので飲料缶を取っ手（３）で持って飲んだり、注いだり出来るので直接手で持つ必要がない。
【図面の簡単な説明】
【０００７】
【図１】  本発明の斜視図
【図２】  本発明の原理説明図
【図３】  本発明の使用説明図
【図４】  本発明の受け皿図
【図５】  本発明の支柱図
【図６】  本発明の取っ手図
【図７】  本発明のゴムテープ図
【符号の説明】
【０００８】１  は受け皿
２  は支柱
３  は取っ手
４  はゴムテ−プ
５  はゴムテ−プの先端の接着部分
６  はゴムテ−プの後端の接着部分
７  は支柱側の接着部分
８  は受け皿側の背着部分
【図１】
2007314241.tif 000003
【図２】
2007314241.tif 000004
【図３】
2007314241.tif 000005
【図４】
2007314241.tif 000006
【図５】
2007314241.tif 000007
【図６】
2007314241.tif 000008
【図７】
2007314241.tif 000009
【手続補正書】
【提出日】平成18年6月29日(2006.6.29)
【手続補正１】
【補正対象書類名】特許請求の範囲
【補正対象項目名】請求項１
【補正方法】変更
【補正の内容】
【請求項１】
飲料缶の外径と底部がほぼ等しい内径の受け皿を設け、支柱に装着したゴムテ−プと取っ手から構成される取っ手型飲料缶保持具である。
【手続補正２】
【補正対象書類名】明細書
【補正対象項目名】０００４
【補正方法】変更
【補正の内容】
【０００４】飲料缶の外径と底部がほぼ等しい内径の受け皿を設け、支柱に装着したゴムテープと取っ手から構成される取っ手型飲料缶保持具である。
【手続補正３】
【補正対象書類名】明細書
【補正対象項目名】０００６
【補正方法】変更
【補正の内容】
【０００６】以下、発明の形態について説明する。
（イ）飲料缶の外径と底部がほぼ等しい内径の受け皿（１）を設ける。
（ロ）受け皿（１）の底部を下から支え、先端と後端に接着部分を付けたゴムテープ（４）と飲料缶を持ち上げる取っ手（３）を装着した支柱（２）から構成される取っ手型飲料缶保持具である。
以下、使用法について説明する。
飲料缶を受け皿（１）に上から入れると飲料缶の底部が固定される、その飲料缶の前面をゴムテープ（４）で１周させて先端の接着部分（５）を後端の接着部分（６）と接着させるとゴムテープ（４）の伸縮力で飲料缶が固定され缶全体が安定するので取っ手で飲料缶を持って飲んだり、注いだり出来るので直接手で持つ必要がない。
(57)【要約】      （修正有）【課題】巻取り量と巻出し量が相異しても、巻取りと巻出しの各操作を同時に行なえるウインチを提供する。【解決手段】巻取りドラムＡを、その軸線方向の中間部側を大径とした互いに同軸上の一対の円錐台状の巻胴部１，２で構成する。該巻胴部１，２の周側面にロープ４，５が係脱する互いに同方向の螺旋溝を設け、該螺旋溝に前記各巻胴部１，２に基端を止着した互いに別体の前記ロープ４，５を係合して対応する前記巻胴部の小径部から大径部方向に巻き付ける。そして、該ロープ４，５の機器に組付ける先端を巻胴部の軸線方向の中間部から導出する。【選択図】図３
2007314275.tif 000002
【特許請求の範囲】
【請求項１】
巻取りドラムを、その軸線方向の中間部側を大径とした互いに同軸上の一対の円錐台状の巻胴部で構成し、該巻胴部の周側面にロープが係脱する互いに同方向の螺旋溝を設け、該螺旋溝に前記各巻胴部に基端を止着した互いに別体の前記ロープを係合して対応する前記巻胴部の小径部から大径部方向に巻き付けると共に、該ロープの機器に組付ける先端を巻胴部の軸線方向の中間部から導出した、ウインチ。
【発明の詳細な説明】
【技術分野】
【０００１】
本発明は、土木建築工事などに用いるウインチに関するものである。
【背景技術】
【０００２】
ダム工事等に適用するケーブルクレーンは川の両側に支持塔を設置し、これら支持塔の上端間にクレーン本体を（横行キャリア）吊架するためのケーブルを張架し、前記支持塔の少なくも一方の可動支持塔を、川と平行な方向に傾動させて前記クレーン本体を前記川と平行な方向に移動できるようにした構造のものがある（例えば、特許文献１）。
【０００３】
そして、この従来のものは、前記可動支持塔の両側にそれぞれ傾動操作ロープ（索）を配し、これをウインチによって伸縮させるようにして前記の可動支持塔を一定の傾動角度に傾斜させ、当該設置角度に保持するようにしている。
【０００４】
すなわち、可動支持塔を一対のウインチ装置を用いて傾動させるようにしているため、傾動操作が煩雑であるのみならず、一対のウインチを設置する等の工期的にも問題がある。
【０００５】
このため、前記一対のウインチを単一なウインチにして前記の問題点を解消すべく、例えば、特許文献２記載（図９）の、同軸に配した一対の巻取部で成る巻取りドラムを備えたウインチの適用が想到された。
【０００６】
【特許文献１】実公昭６２−２５５１０号公報
【特許文献２】特開平９−７７４７８号公報
【発明の開示】
【発明が解決しようとする課題】
【０００７】
一方の巻取部でロープを巻取り中に、他の一方の巻取部から他のロープを巻出すようにした前記構造のものは、巻取部が直胴状の同形体で構成するため、巻取り量と巻出し量が一致している場合はウインチとして機能するが、前記のケーブルクレーン装置に適用する場合は、巻取り側（前記装置の一方のウインチ側）と巻出し側（前記装置の他の一方のウインチ側）が一致するようにすることは、現場環境上物理的にほぼ不可能である。
【０００８】
本発明は斯様な常況を勘案し、同軸に配した一対の巻取部を備えた前記従来のウインチの欠点を解消し、巻取り量と巻出し量の不一致な場合に本来の機能を発揮するウインチを提供すべく創案したものである。
【課題を解決するための手段】
【０００９】
巻取りドラムを、その軸線方向の中間部側を大径とした互いに同軸上の一対の円錐台状の巻胴部で構成し、該巻胴部の周側面にロープが係脱する互いに同方向の螺旋溝を設け、該螺旋溝に前記各巻胴部に基端を止着した互いに別体の前記ロープを係合して対応する前記巻胴部の小径部から大径部方向に巻き付けると共に、該ロープの機器に組付ける先端を巻胴部の軸線方向の中間部から導出した、構成としたものである。
【発明の効果】
【００１０】
本発明によれば、巻取りドラムを回動させると、該ドラムの一方の巻胴部から一方のロープが、その巻出され位置が巻胴部の小径側方向に順次移動しつつ巻出される一方、他方の巻胴部に他方のロープがその巻取り位置が該巻胴部の大径側方向に順次移動しつつ巻き取られることになり、従って、巻出し量と巻取り量が異なり、この異なる量分を利用して、ウインチと可動機器の位置の不備を吸収して当該機器の位置調整を行うことができ、従来、一対のウインチを利用せざるを得ない現場において用いるに好適なウインチを提供できる。
【実施例】
【００１１】
図面は本発明に係るウインチの一実施例を示し、図１は巻取りドラムの略視正面図、図２はケーブルクレーン支持塔装置の説明図、図３は本発明に係るウインチ使用概略図である。
【００１２】
本発明に係るウインチは、その軸線方向の中間部側を大径とした互いに同軸上の一対の円錐台状の巻胴部１，２を中間フランジ３を介して互いに連設して構成した巻取りドラムＡを備えたものである。
【００１３】
そして、巻取りドラムＡの各巻胴部１，２の周側面に１´，２´には螺旋溝１ａ，２ａを巻胴部１，２間において互いに同一方向にして設け、該螺旋溝１ａ，２ａを係脱する互いに別体のロープ（ワイヤー）４，５を基端部４ａ，５ａにおいて対応する各巻胴部１，２の周側の小径側の適所（ドラムＡの両側）に止着し、該ロープ４，５の中間部を巻胴部１，２の小径側から大径側方向に前記螺旋溝１ａ，２ａに沿って適量巻き付け、その先端を巻胴部１，２の軸線方向の中間部から導出して機器に組付けるようにしたものである。
【００１４】
しかして、川の一側に固定支持塔１１、他の一側に可動支持塔１２を設置し、これら支持塔の上端間にケーブル１３を張架してこれにクレーン本体１４を移動自在に組付ける一方、可動支持塔１２に本発明に係るウインチの巻取りドラムＡから導出した一方のロープ４を前記可動支持塔の一側に、他の一方のロープ５を他の一側にそれぞれ前記ケーブル１３に対して直交する方向に連けいさせるように配して巻取りドラムＡを回動させると、ロープ４，５の一方は巻胴部１，２の方に巻取られ、他方は巻出されることになるから、前記可動支持塔１２はドラムＡに巻取られるロープ４または５の方向に傾動し、クレーン本体は川と平行に移動させることができるのである。
【００１５】
なお、図中、６はフランジ、７は回動軸、１５は案内滑車、１６は支線である。
【図面の簡単な説明】
【００１６】
【図１】巻取りドラムの略視正面図。
【図２】ケーブルクレーン支持塔装置の説明図。
【図３】本発明に係るウインチ使用概略図。
【符号の説明】
【００１７】
Ａ          巻取りドラム
１，２      巻胴部
４，５      ロープ
【図１】
2007314275.tif 000003
【図２】
2007314275.tif 000004
【図３】
2007314275.tif 000005
(57)【要約】【課題】  従来のエレベーター等の非常用ランプはランプ切れ等の事故をなくすため定期的な点検が必要であり、しかもこの点検も頻繁で非常時に数時間点灯のためには大型のバッテリーが必要であった。【解決手段】  従来のハロゲンランプに替えてハイパワーＬＥＤを使用することによってこの点検を少なくして保守・安全を確保することができ、小型のバッテリーでの点灯が可能となった。【選択図】  図１
2007314271.tif 000002
【特許請求の範囲】
【請求項１】
停電時等にバッテリーで一定時間点灯させるＬＥＤランプ使用の非常灯でＡであって、２個のハイパワーＬＥＤ（１）と定電圧回路で構成されたプリント配線基板（２）を円形で大形に形成した放熱版（３）に取付け、緊急時の環境において充分な明るさと、バッテリーの使用で長時間点灯を可能にしたＬＥＤランプ使用の非常灯。
【発明の詳細な説明】
【技術分野】
【０００１】
本発明は、エレベーター等で使用するＬＥＤランプ使用の非常灯に関する。
【背景技術】
【０００２】
現在エレベーター等で使用している非常灯は、１０Ｗ程度のハロゲンランプを使用しているのが一般的であるが、緊急時だけの点灯であっても、ランプの信頼性から定期な点灯確認とランプの交換が必ず必要であり、またバッテリーもハロゲンランプの消費電力と点灯時間に比例して大きなものを使用する必要があった。
【特許文献１】特開平１０−３２４４８１号公報
【発明の開示】
【発明が解決しようとする課題】
【０００３】
上述のように現在もハロゲンランプの非常灯が一般的に使用されているが、このような同様の用途に向けてＬＥＤを使用した場合には、光量が不足すること、さらには放熱量が大きいことによって、実用化が困難であった。
【課題を解決するための手段】
【０００４】
ハイパワーのＬＥＤが開発され量産されて来て価格も一般的になった現在、発明者はこのハイパワーＬＥＤの光源としての利用に研究を重ねた結果本発明に到達したものであって、本発明は、エレベーター等の非常用ランプとしてＬＥＤを使用するもので、２個のハイパワーＬＥＤを使用すること、および図示されているような円形で大形に形成した放熱
版を用いることによって、ＬＥＤの特徴である省エネ省スペースとメンテナンスフリーを最大限に生かした非常灯を提供することに成功した。
【発明の効果】
【０００５】
上述されるように、本発明のＬＥＤランプ使用の非常灯は、ハイパワーＬＥＤ２個を使用するため十分な明るさと、ＬＥＤ特有の省エネ、省スペースであって、しかも定電圧回路構成であるため半永久的な寿命が維持できるもので、従来のハロゲンランプを使用する非常灯に比較して、経済的な効果に加えて長期の維持管理に卓越した使用上の効果を奏する。
【発明を実施するための最良の形態】
【０００６】
添付図面について、本発明を実施するための最良の形態を説明すると、図１は、本発明のＬＥＤランプを使用した非常灯の全体を示す平面図であって、２個のＬＥＤ（１）と回路基板（２）と円形で大きな放熱版（３）によって構成されている。
【０００７】
本発明のＬＥＤランプ使用の非常灯は、従来使用されているハロゲンランプ非常灯の点灯回路からランプ口金互換のソケットを用いて電源を供給することができるため、従来の非常灯設置機器への取付けや置き換えも可能となった。
【実施例】
【０００８】
図において本発明を説明すると、図１において、（１）はＬＥＤランプであって、２個のハイパワーＬＥＤを対向して使用している。（２）はプリント配線基板であってこの基板には図３に示されている定電圧回路で構成されている配線回路が設けられている。これらは図示されているように大きなアルミ製の放熱版（３）上に配置されている。
【０００９】
図２は図１のａ−ａ断面図を示すもので、このＬＥＤランプ使用の非常灯は、放熱版（３）の直径が９５ｍｍで高さが１１ｍｍと薄型に成形されているため取付け場所を選ぶことなく、エレベーターの天井や壁の隅にでも設置することができる。
【００１０】
図３は本発明の非常灯に使用される電解コンデンサー等の劣化し易い部品を使用しない定電圧回路図であって、入力電圧の範囲がＤＣ９Ｖ〜２４Ｖと広いためＤＣ１２Ｖ又はＤＣ２４Ｖどちらのバッテリーでも使用が可能であって各種のエレベーターへの設置が可能であり、この非常灯は万一の停電時に搭乗者の心配を軽減すること、その明るさを全員が
非難するまでの長時間持続できるという保安安全上の効果を有する。
【産業上の利用可能性】
【００１１】
上述のように本発明の非常灯はハイパワーのＬＥＤを使用しているため緊急時のみの点灯であってもランプの信頼性があるため点灯確認時にランプ交換や点灯確認などの保守管理が少なくなるため、この発明の利用度は大である。
【図面の簡単な説明】
【００１２】
【図１】本発明のＬＥＤ非常灯の正面図
【図２】ａ−ａ断面図
【図３】回路図
【符号の説明】
【００１３】
１  ハイパワーＬＥＤ
２  基板
３  放熱版
【図１】
2007314271.tif 000003
【図２】
2007314271.tif 000004
【図３】
2007314271.tif 000005
(57)【要約】【課題】本発明は、使用中、使用後の飲料液用ビンを花立てとして有効に利用でき、飲料液用ビンの美粧効果と相まって独特の美観を醸成できる飲料液用ビンの栓を提供する。【解決手段】飲料液用のビン１の注出口３内に密挿する栓部４の上端に花立て用カップ５を連設し、上記栓部４は上端が開口する有底の筒体にて形成し、他方上記花立て用カップ５の下端を上記筒体の開口内に密挿して栓部４に花立て用カップ５を挿脱可に結合し、上記花立て用カップ５の花挿入室９と上記栓部４を形成する上記筒体とを連通した飲料液用ビンの栓。【選択図】図２
2007314239.tif 000002
【特許請求の範囲】
【請求項１】
飲料液用のビンの注出口内に密挿する栓部の上端に花立て用カップを連設したことを特徴とする飲料液用ビンの栓。
【請求項２】
上記栓部は上端が開口する有底の筒体にて形成し、他方上記花立て用カップの下端を上記筒体の開口内に密挿して栓部に花立て用カップを挿脱可に結合したことを特徴とする請求項１記載の飲料液用ビンの栓。
【請求項３】
上記花立て用カップの花挿入室と上記栓部を形成する上記筒体とを連通したことを特徴とする請求項２記載の飲料液用ビンの栓。
【発明の詳細な説明】
【技術分野】
【０００１】  本発明は酒類、ジュース類に代表される飲料液用ビンの栓、殊に飲料液用ビンと栓に花立て機能を具有させた飲料用ビンの栓に関する。
【背景技術】
【０００２】  従来より、ワインなどの空ビンに水を入れ、ビンの注出口に花を生け込み、ビンを花立てとして活用することが行われている。
【発明の開示】
【発明が解決しようとする課題】
【０００３】  然しながら、上記ビンの注出口に直接花を生け込む方法では、花茎がビンの中に深く入り過ぎ、注出口から適当な高さに花を立てることが困難である。【０００４】  又、ビンに飲料液が入っている状態では、花立てとして利用できず、使用後の空ビンの利用に限定されており、又不必要に多量の水を注入せねばならず、ビンの内面を汚し、洗浄にも手間が掛かる
【課題を解決するための手段】
【０００５】  本発明は、上記課題を解決し、飲料液用ビンを花立てとして有効に利用できるようにした飲料液用ビンの栓を創案したものである。【０００６】  この飲料液用ビンの栓は、同ビンの注出口内に密挿する栓部の上端に連接した花立て用カップを有し、同ビンの使用中、使用後（空ビン）の制限を伴うことなく、上記花立用カップに水を注入し、花を生け込み、同ビンを花立てスタンドとして機能させるようにしたものである。【０００７】  上記栓部は上端が開口する有底の筒体にて形成し、他方上記花立て用カップの下端を上記筒体の開口内に密挿して栓部に花立て用カップを挿脱可に結合し、それぞれを単独で取り扱いでき、清掃できるようにしたものである。【０００８】  又上記花立て用カップの花挿入室と上記栓部を形成する上記筒体とを連通し、花の花茎の下端を上記栓部の筒孔内に安定に挿入し花立て姿勢を保持できるようにしたものである。
【発明の効果】
【０００９】  本発明は、使用中、使用後の飲料液用ビンを花立てとして有効に利用でき、飲料液用ビンの美粧効果と相俟って独特の美観を醸成できる。
【発明を実施するための最良の形態】
【００１０】  以下、本発明を実施するための最良の形態を図１ないし図４に基づいて説明する。【００１１】  図１、図２、図３において１はワインビンに代表される飲料液用ビン、２はその栓であり、該栓２は該飲料液用のビン１の注出口３内に密挿する栓部４を備え、該栓部４の上端に花立て用カップ５を連設し、同ビンの使用中、使用後（空ビン）において、上記花立用カップ５に水６を注入し、同カップに花７を生け込み、同ビン１を花立てスタンドとして機能させるようにしたものである。【００１２】  換言すると飲料液用ビン１をビンとして機能させつつ、花立て機能を具有させたものである。【００１３】  上記栓部４は上端が開口する有底の筒体にて形成し、他方上記花立て用カップ５の下端を上記筒体（栓部４）の開口内に密挿して栓部４に花立て用カップ５を挿脱可に結合する。【００１４】  上記栓部４と花立て用カップ５の結合手段として、該花立て用カップ５の下端に同カップよりも十分に小径の差込口８を連設し、該差込口８を上記栓部４の上端開口部内に密に挿入し挿脱可に結合しそれぞれを単独で取り扱いでき、清掃できるようにする。【００１５】  上記花立て用カップ５の花挿入室９と上記栓部４を形成する上記筒体の筒孔１０とは互いに連通構造にし、花の花茎の下端を上記栓部４の筒孔１０内に安定に挿入し花立て姿勢を保持できるようにする。【００１６】  再述すると上記花挿入室９は上端が開口し、下端が差込口８を介して開口しており、該差込口８を介して栓部４の筒孔１０と連通している。【００１７】  上記栓部４の筒孔１０の上端部内周面には、環状段部１１を形成し、該環状段部１１に上記差込口８の下端面を突き当て花立て用カップ５の差込深さを設定すると共に水密効果を向上させる。【００１８】  又図４に示すように上記栓部４の外周面を下端に向け緩やかに収斂せる傾斜角度αの傾斜面１２にし、該栓部４をビン１の注出口３に挿入したとき、一定の挿入深さにおいて傾斜面１２が注出口３の内に圧力ばめできるようにする。【００１９】  好ましくは、上記花立て用カップ５と栓部４はそれぞれ合成樹脂で成型し別部品にし、加えて栓部４はテフロン製にし飲料液の衛生を確保する。
【図面の簡単な説明】
【００２０】
【図１】花立て用カップを備えた飲料用ビンの側面図。
【図２】上記飲料用ビンの断面図。
【図３】上記飲料用ビンの分解断面図。
【図４】花立用カップと結合する栓部の拡大断面図。
【符号の説明】
【００２１】  １…飲料液用ビン、２…栓、３…注出口、４…栓部、５…花立て用カップ、６…水、７…花、８…差込口、９…花挿入室、１０…筒孔、１１…環状段部、１２…傾斜面。
【図１】
2007314239.tif 000003
【図２】
2007314239.tif 000004
【図３】
2007314239.tif 000005
【図４】
2007314239.tif 000006
(57)【要約】【課題】  従来のコーヒーやジュース等の飲料用の缶は、薄い金属板一枚で中の飲料溶液を収容している為外気温度の影響を受け易く、暖めた場合は熱くてそのままでは持つことができず、少し冷ましてから飲んだりした場合は、味も香りも半減する。【解決手段】  本発明は、缶の中の飲料液温度をなるべく長く保持させると伴に、缶を手で持った時に、中の飲料液の温度を気にせずに持つことができ、さらに飲み易くする為、缶に直接飲料液を注入せずに、缶の中に別途収めて設けたコップ状の容器の中に飲料液を注入してから缶に蓋をする事とし、蓋をした以降はコップ状の容器に収納した飲料液は、蓋以外には外側金属部と接しないようにし、さらに外側金属部と容器の間に若干の空間部を設けて、飲料液の温度が外部に奪われにくくした技術手段を採用した。【選択図】図１
2007314238.tif 000002
【特許請求の範囲】
【請求項１】
自動販売機等で販売されているコーヒーやジュース等の飲料用の缶において、缶に直接飲料液を注入せずに該缶の中に別途収めて設けた容器の中に前記飲料液を注入して該缶に蓋をした以降は前記容器に収納した飲料液は前記の蓋以外には前記缶を構成する外側金属部と接しないようにすると伴に該外側金属部と前記容器の間に若干の空間部を設け前記飲料液の温度が外部に奪われにくくしたことを特徴とした飲料用の缶。
【発明の詳細な説明】
【発明の詳細な説明】
【技術分野】
【０００１】本発明は、自動販売機等で販売されるコーヒーやジュース等の飲料用の缶に関する。
【背景技術】
【０００２】  従来のコーヒーやジュース等の飲料用の缶は、薄い金属板一枚で中の飲料溶液を収容している為、外気温度の影響を受けやすかった。
【発明が解決しようとする課題】
【０００３】  従来のコーヒーやジュース等の飲料用の缶は、薄い金属板一枚で中の飲料溶液を収容している為、外気温度の影響を受け易く、暖めた場合は熱くてそのままでは持つことができず、少し冷ましてから飲んだりした場合は、味も香りも半減する。逆に冷たい缶の場合はすぐに温くなり、また結露も付きやすく、周りの物を濡らしたりすることもあった。
【０００４】本発明は、缶の中の飲料液の温度をなるべく長く保持させると伴に、該缶を手で持った時に、中の飲料液の温度を気にせずに持つことができ、さらに飲み易くすることを目的とするものである。
【課題を解決するための手段】
【０００５】  本発明は、前記課題を解決するために、次のような手段を採用した。自動販売機等で販売しているコーヒーやジュース等の飲料用の缶において、缶に直接飲料液を注入せずに、該缶の中に別途収めて設けた容器の中に飲料液を注入してから該缶に蓋をする。該蓋をした以降は前記容器に収納した飲料液は、該蓋以外には前記缶を構成する外側金属部と接しないようにし、さらに該外側金属部と前記容器の間に若干の空間部を設けて、前記飲料液の温度が外部に奪われにくくした技術手段を採用した。
【発明を実施するための最良の形態】
【０００６】  発明の実施の態様を実施例にもとづき図面を参照して説明する。
図１は、本発明の断面図で、飲料用の缶（Ａ）として、全体を薄い金属板で構成しており、中に飲料液（２０）を収納している。
図２は、分解図で、手で握ることになる外側筒部（１）と、缶（Ａ）の中に収納される飲料液（２０）と、コップの様に下部を細くして飲み易くした容器部（３）と、その容器部（３）を乗せている台座部（８）を設けている底蓋（７）と、飲み口部（１２）を設けている上蓋（５）とで構成されている。
【図面の簡単な説明】
【図１】  本発明の側面からの断面図
【図２】  本発明の分解斜視図
【符号の説明】
Ａ……飲料用の缶
１……外側筒部
３……容器部
５……上蓋
７……底蓋
８……台座部
１０…圧着部
１２…飲み口部
２０…飲料液
２５…空間部
【図１】
2007314238.tif 000003
【図２】
2007314238.tif 000004
(57)【要約】      （修正有）【課題】農作業現場などにおいて、より早く、楽にダンボール箱の組み立てができる作業台の提供。【解決手段】ダンボール箱のブランク束を置いておくスペースと、ブランクを拡開しフラップを折り曲げて組み立てた箱を寄せて位置決めする枠２−７、接着テープ置場および調整ナットにより高さを調整できるテープ切断刃を設けた、持ち運びが容易な作業台。【選択図】図２
2007314192.tif 000002
【特許請求の範囲】
【請求項１】
現在農作物収穫時ダンボールを折り曲げ箱状にし、裏面のダンボールの合わせ目をテープで張り付けているが作業時間と作業工程がかかりすぎてしまうため、農作業現場および作業場での作業時間と作業工程短縮を図るためのダンボール箱組み立て装置。
【発明の詳細な説明】
【技術分野】
【０００１】
本発明は、農作業および社会全般においてダンボール箱組み立て時の作業時間と作業工程短縮に関するものである。
【背景技術】
【０００２】
ダンボール箱組み立て時の作業工程にある。
【０００３】
ダンボール箱を組み立てるにはダンボール（図面３−Ａ）を広げて折り曲げ（図面３−Ｂ，Ｃ，Ｄ，４−Ｅ）の順で組み立てて裏面（図面４−Ｆ）をテープで貼り付けて（図面４−１５）裏返して（図面４−Ｇ）完成である。
【０００４】
今まではダンボールを一枚ずつ取り出して組み立ててテープを貼り付けていたがテープが曲がったまま貼り付けてしまったり裏面のダンボール箱がよく重なり合っていないまま貼り付けてしまったりしていた。作業するには腰の曲げ伸ばしが続くため腰に負担がかかってしまう。
【０００５】
ダンボール箱を組み立てる機械は発売されてはいるが軽トラックの荷台にやっと乗せれる程の大きさがあり電気も必要なため農作業現場には持ち運び不可能である。
【０００６】
その機械は一人がダンボール箱を取り出し折り曲げ機械に通しもう一人が機械から出てきた完成したダンボール箱を取り出し重ね合わせていたが作業時間と作業工程がかかってしまい機械もかなりの高価である。
【特許文献１】特開２００２−１４６８６０号広報
【発明の開示】
【発明が解決しようとする課題】
【０００７】
解決しようとする問題点は農作業現場でのダンボール箱組み立て時における作業時間と作業工程がかかりすぎていてしかもダンボール箱がきれいに作成できない事である。
【０００８】
本発明は、従来のダンボール箱組み立て時における作業時間および作業工程を解決しようとするものであり、農作業現場はもとより、工業、商業、農林水産業などのダンボール箱組み立て時に適用して、より早く楽に作業ができる事を目的とするものである。
【課題を解決するための手段】
【０００９】
本発明は、上記の目的を達成するために従来の作業時間および作業工程が有した問題を解決するために装置の設置を望むものである。
【発明の効果】
【００１０】
本発明の装置はナット（図面１−２，３）をゆるめ無段階調整する事により、多種多様なダンボール箱にも対応でき、ダンボール箱を取り出して折り曲げテープを貼り付け、テープの切断まで同一場所で楽な姿勢のまま作業が簡単にできるため足腰の弱い人や高齢者や手伝いをしてくれる子供に朗報であり、持ち運びが容易であるという利点がある。
【発明を実施するための最良の形態】
【００１１】
材料は木材、プラスチック、鉄などが多く使用される。
【００１２】
使用場所により材質については適材適所で選べばよい。
【００１３】
水を扱う場所、雨天時の屋外ではプラスチックが好ましい。
【００１４】
晴天時の屋外では装置を丈夫にするために木材、鉄などが好ましい。
【実施例１】
【００１５】
作業台（図面１）の上にダンボール箱の束を置き（図面２）ダンボール箱の組み立て作業に入る。
【００１６】
本装置の上でダンボール箱（図面３−Ａ）を開き（図面３−Ｂ）両サイドを折り曲げ（図面３−Ｃ）その上に手前と奥を折り曲げ（図面３−Ｄ）重ねあわせる（図面４−Ｅ）。
【実施例２】
【００１７】
テープ切断刃（図面２−１１）を調整するために調整ナット（図面１−２，３）をゆるめて上下左右に移動し保護カバー付切断刃（図面１−１）をダンボール箱の重なり合った位置（図面２−１４）より数センチ高くして調整ナット（図面１−２，３）を固定し、切断刃の保護カバーを取り外す。
【００１８】
切断刃の高さについては作業しやすい位置に調整したほうがよい。
【実施例３】
【００１９】
折り曲げたダンボール箱を直角に作成するために装置の角（図面２−７）に軽くダンボール箱を寄せる。
【００２０】
テープをテープ置き場（図面１−４）から取り出し、テープを（図面２−８）より少し下の位置（図面４−１５）から貼り付け、ダンボール箱が重なり合うように（図面２−９）を（図面２−７）にかるく寄せてテープ（図面２−１０）を伸ばし貼り付けダンボールの端（図面２−１４）まで伸ばして切断刃（図面２−１１）で切断する。
【００２１】
テープをテープ置き場（図面１−４）に置き、次に使用する時にテープの先端が取り出しやすいようにテープ貼り付け金具（図面１−５）にテープの先端を貼り付ける（図面２−１２）。
【００２２】
ダンボールを左端（図面２−１３）に少し寄せダンボールの右端（図面２−１４）を下に軽く押してテープをダンボールに貼り付ける（図面４−Ｆ）。
【実施例４】
【００２３】
ここまでの作業でダンボール箱組み立て作業が完了し、作業台から取り出し（図面４−Ｆ）裏返して（図面４−Ｇ）完成である。
【００２４】
ここまでの工程を同一場所で繰り返す。
【産業上の利用可能性】
【００２５】
農作物出荷時などにおけるダンボール箱組み立て作業を容易にでき、テープ切断刃（図面２−１１）を無段階調整する事により多種多様なダンボール箱組み立ての用途にも適用できる。
【図面の簡単な説明】
【００２６】
【図１】ダンボール作成装置外観図
【図２】ダンボール作成装置作業図
【図３】ダンボール箱組み立て
【図４】ダンボール箱組み立て
【符号の説明】
【００２７】
１−１  テープ切断刃保護カバー
１−２，３  切断刃調整ナット
１−４  テープ置き場
１−５  テープ貼り付け金具
１−６  予備テープ置き場
２−１０  テープ
２−１１  テープ切断刃
【図１】
2007314192.tif 000003
【図２】
2007314192.tif 000004
【図３】
2007314192.tif 000005
【図４】
2007314192.tif 000006
(57)【要約】      （修正有）【課題】車両の衝突事故などに於ける搭乗者の事故軽減と救済を目指したものである。【解決手段】車両の事故に於ける後部座席から前部座席への飛び出しを、座席間に設置したネットにより受け止め、搭乗者の飛び出し、衝突をふせぎ、事故の軽減と救済を図るものである。【選択図】図１
2007314158.tif 000002
【特許請求の範囲】
【請求項１】
車両の前部座席と後部座席の境界に、伸縮可能な、「安全ネット」を設置する方法
【発明の詳細な説明】
【技術分野】
【０００１】  本発明は車の搭乗者の安全に関するものである
【背景技術】
【０００２】最近の調査結果に於ける、車の搭乗者の後部座席に於けるシートベルトの装着率が、諸外国に比べわが国では前部の席に比較して極端に少なく、このため、事故に遭遇した場合、後部座席の人が前方に飛ばされ、前部の席の人を巻き込んだ大きな事故を誘発する危険が常に存在する現状である
【発明の開示】
【発明が解決しようとする課題】
【０００３】そこで車の衝突時にも前部の席と後部の席の分離を為し、後部座席の人と前部座席の人との衝突を回避し、車内に於ける安全の確保を目指すものである
【課題を解決するための手段】
【０００４】即ち、車両の前部座席と後部座席の境界をネットが遮断を為す機構を設け、車両が衝突を為した時、例えばエアーバッグと連動をしてネットが降下をなし後部座席の搭乗者が前部に飛ばされる事を防ぐものである、又、必要に応じて任意にネットを伸縮できる形体に為しても可能である
【発明の効果】
【０００５】前部座席と後部座席の境界をネットが遮断することにより広範囲に防御壁が構築される、この為、後部座席のみならず前部座席も後ろからの追突事故の軽減が計れるものであり、搭乗者の安全確保に大いに寄与するものである。
【発明を実施するための最良の形態】
【０００６】以下、本発明の形態を図に基づいて説明する【０００７】図１は車両の車内の前部席と後部席の境界の、天井部位に設置されたネットである
図２はネットが降下して後部座席から前部座席への飛び込みを防ぐ状態である
このネットの動きはエアーバッグと連動させるのが、最適であるが、またネットだけを独立させた機能をもたせ必要に応じて、任意に伸縮を可能な形態に為しても良い
【図面の簡単な説明】
【０００８】
【図１】・・車両内部に設置させたネット
【図２】・・ネットの降下図
【符号の説明】
【０００９】        １・・・防護ネット巻取り器
２・・・防護ネット
３・・・防護ネットガイドレール
４・・・車両の椅子
【図１】
2007314158.tif 000003
【図２】
2007314158.tif 000004
(57)【要約】      （修正有）【課題】広く利用されている車両のタイヤ及びタイヤチューブの空気入れ口（バルブコア）にエアーを入れる時、片手で空気入れ器具のバルブコアを押さえてエアーを入れていたが、手を使用せずエアーを入れるチャック式オス弁付器具を提供する。【解決手段】車両のタイヤ１及びタイヤチューブの空気入れ口を今までのネジ式オス弁付器具からチャック式オス弁付器具Ａのバルブコアにし、エアーを入れる側のバルブコアをチャック式メス弁付器具Ｂにする。【選択図】図１
2007314156.tif 000002
【特許請求の範囲】
【請求項１】
自動車、単車、自転車などの車両のタイヤ▲１▼の空気入れ口（バルブコア）をチャック式オス弁付器具▲Ａ▼にする。
【請求項２】
自動車、単車、自転車などの車両のタイヤチューブ▲２▼の空気入れ口（バルブコア）をチャック式オス弁付器具▲Ａ▼にする。
【請求項３】
「請求項３においては、請求項１と請求項２記載の車両のタイヤ▲１▼及びタイヤチューブ▲２▼の空気入れ口（バルブコア）チャック式オス弁付器具▲Ａ▼。」にエアーを入れる器具をチャック式メス弁付器具▲Ｂ▼にする。
【発明の詳細な説明】
【技術分野】
【０００１】この発明はエアーを入れる時、手を使用せずエアーを入れることが出来る。
【背景技術】
【０００２】従来、タイヤ及びタイヤチューブにエアーを入れる時、手で押えなければいけなかった。
【発明の開示】
【発明が解決しようとする課題】
【０００３】これは、次のような欠点があった。
１、手で押さえていなければいけなかった。
本、発明は以上の欠点を解決するために作成した。
【課題を解決するための手段】
【０００４】タイヤ及びタイヤチュブの空気入れ口、バルブコアをチャック式オス弁付器具のバルブコアにすることで解決した。
【発明の効果】
【０００５】本、発明は自動車、単車、自転車すべての車両に一早く対応できる。
【発明を実施するための最良の形態】
【０００６】以下、本発明の実施の形態について説明する。
１、タイヤ及びタイヤチューブの空気入れ口（バルブコア）をチャック式オス弁付器具のバルブコアにしカチッとはめ込むだけである。
【実施例】
【０００７】タイヤとタイヤチューブである。
【図面の簡単な説明】
【０００８】
【図１】  本、発明の平面図である。
【図２】  本、発明の平面図である。
【図３】  本、発明の部分図である。
【図４】  本、発明の部分図である。
【符号の説明】
【０００９】  ▲１▼タイヤ  ▲２▼タイヤチューブ  ▲Ａ▼チャック式オス弁付器具  ▲Ｂ▼チック式メス弁付器具
【図１】
2007314156.tif 000003
【図２】
2007314156.tif 000004
【図３】
2007314156.tif 000005
【図４】
2007314156.tif 000006
(57)【要約】      （修正有）【課題】高さの高い自動車では前方の高い部分を見るのに困難であり、危険となることがあった。【解決手段】  自動車の外観をあまり変えずに、高所障害物を探知したり標識を照らす自動車用のライトを作る。【選択図】図１
2007314152.tif 000002
【特許請求の範囲】
【請求項１】
自動車の前方部あるいは高所に通常の前照灯や補助灯の他に、自動車の前方高所を照らすライトを装備、あるいは必要なら増設できるような構造とした自動車、あるいは専用の車内スイッチ付きの投光機。
【請求項２】
自動車の左右の下方後部を照明できるように装備するスポット型のＯＮＯＦＦできる照明灯設備。
【発明の詳細な説明】
【技術分野】
【０００１】  本発明は、自動車用のスポットライトに関するものである。
【背景技術】
【０００２】  一般車には通常のライトが付属するだけである。
車高の高いトラックなどでは上方の障害物にも注意する運転が要求されるが、対応する照明灯は装備されていない。
必要なら増設すれば良いが、そのための取り付け金具はないので設置も困難な場合が多いし、スイッチ回路の配線が必要になる。
前照灯を上げる事で支障がない場合も多いが、対向車や道路事情により利用困難な場合がある。【０００３】  通常はなくても支障はないし、健眼な人程不要ですが雨の日などは時々標識が見ずらい時があります。また市街地は建物照明や街路灯があるので標識の文字も見やすいが、郊外の道路では夜間は標識が読みずらい場合があり、対向車が接近する時は前照灯を下げるので標識が見ずらくて方向を間違えて困る事があります。進行速度にもよるが高速時ほど一瞬で標識の文字を読む必要があり、事故の原因になる場合があります。
【発明の開示】
【発明が解決しようとする課題】
【０００４】  解決しようとする問題点は、前照灯を上げる従来の方法は対向車がある時は安心して利用できないことである。
車内で点灯すると光るので使いにくいし、光が散乱する事もある。
構造が複雑で大型で重量大では好ましくないし、増設が困難では意味がないので、簡単で小型軽量そして取り付けも容易なものが良い。
車高の高いトラックなどでスイッチＯＮで、高所用の照明灯が点灯すれば障害物の有無を確認できるが、現状は簡単な増設は困難である。
天気の良い日と雨の日では必要な明るさも変わるので、明るさを調節できればその方が良い。装備して発売する方法と、後から必要なら増設する方法があるので対応が様々である。
［課題を解決する為の手段］【０００５】  上記目的の達成のために、高級車では当初から付属発売する。
一般車では後から簡単に増設できる金具を付属させる。
そうすれば製品希望者は比較的簡単に増設できる。照明用のライトにはスイッチが必要なので器具は外でも、中からスイッチの入り切りが出来るような構造にする。（車内設置も可能である。）
周囲を半密封構造にするとか防水構造にする必要があるのは普通の車の照明と同じです。最近は小型で照度の高い省電力長寿命ライトが開発されているのでスイッチは中でも電源は乾電池で済ませる方法もあるが、明るい程良いのだから車載電源を活用する方が有利だと考えられる。
スイッチは各種あるが、タイマーで定時間点灯させることもできる。
あるいは前照灯を３段階切り替え方式にすると対向車への影響を少なくしながらサーチライト機能を出すことが可能になる。
あまりライトの角度を上げると走行に支障が出やすいタイプの車両では投光機用のライトを似たような位置に増設すれば良い。車両の窓の上部に設置する常識的な方法もある。
非常に照度の高いライトが開発されて小型化も可能なので、今では一見して分からない程の小型ライトの装備でも実用レベルになる。
【発明の効果】
【０００６】  構造が簡単であり、既製の回転灯をサーチライトに変えるだけで本案の必要機能は完成する。わずかに改良するだけなので、大量生産できる。
専用製品は各種開発することが出来、後付けや先付け方式が可能だ。
強力なスポットライトなので夜間でも明瞭に標識を読む事が出来る。
前照灯を上げる方法に比較すると、対向車のある時でも問題がない。
【発明を実施するための最良の形態】
【０００７】  本発明の応用例としての図面は、専用の架台による投光機設置方式の例を示すが、自動車の通常照明器具と同じように内蔵型の方が良い。
ある程度は左右上下に調節できる方が良いし、電気力によるモーター型調節投光機でも良い。ボタンスイッチを一度押すとタイマー設定した時間点灯する方法やボタンスイッチを一度押すと点灯し、もう一度押すと消灯する利用方法などが考えられる。
ライトの明るさを何段階かに調節して状況に応じた明るさを選択できるようにしても良いし、防犯センサーなどと連動するようにしても良い。
車両のどの位置に装備するかは自動車の種類や用途により変化するが、トラックでは車両の高所装備が何かと有利になる。
【実施例１】
【０００８】  図１は、本発明装置の１例である。正面から見た図面であり自動車車体中央部分にライトを装備している。
【実施例２】
【０００９】  図４は、本照明灯の回路例の一例である。電源スイッチ１４をＯＮ側、照明灯スイッチ１５をＯＮにすると点灯する。
［産業上の利用の可能性］【００１０】  消火器や発煙筒よりは役に立つ事があると思う。
進路の間違いは時間や燃料の無駄になる。遅れを戻す為の無理な運転が交通事故の原因になる場合もある。
車両の周囲を見るための応用利用も可能である。例えば大型トラックは商店街の看板等の設置物を破損する事故を起こしやすい。夜間は照明等も不十分なので上方の障害物の接近が判断できない場合があり、破損した場合の費用は双方の大きな負担になる。本発明の高所投光機があれば何割かこのような事故が防止できる可能性がある。
肉眼より高性能レーダーや赤外線カメラ等が秀れるのと同じである。
【図面の簡単な説明】
【００１１】
【図１】  自動車ライトの正面図である。
【図２】  自動車ライトの平面図である。
【図３】  自動車ライトの側面図である。
【図４】  自動車ライトの電気配線の回路例である。
【符号の説明】
【００１２】  １  新設する自動車ライト
２  自動車の窓
３  自動車の通常の前照灯
４  自動車のボデイ本体
５  自動車のタイヤ
６  自動車の天井部分
７  自動車のドア部分
８  新設する自動車ライトのランプ
９  新設する自動車ライトの保護カバー
１０  新設する自動車ライトの反射板
１１  電源の車両ボデイへのアース線
１２  車両の金属ボデイ
１３  新設する自動車ライトと車内スイッチへの連絡線
１４  自動車内のライトスイッチ（電源入り切り用）
１５  自動車ライトのＯＮＯＦＦスイッチ
１６  自動車バッテリーからのプラス端子
１７  自動車バッテリーからのマイナス端子
１８  自動車の車載バッテリー
１９  自動車バッテリーのマイナス端子とボデイへの連絡線
２０  新設する自動車ライトの電球用ソケット
【図１】
2007314152.tif 000003
【図２】
2007314152.tif 000004
【図３】
2007314152.tif 000005
【図４】
2007314152.tif 000006
(57)【要約】      （修正有）【課題】従来のキャスターでは、接地部品の回転半径が大きいため小型化に限界があり、静止させる場合は別にストッパーを取りつけるか他の手段を講じる必要があった。【解決手段】キャスターのボールを球形ではなく変型されたボールを使用する事でボールの回転半径を最小限にした。それにより小型化、簡素化ができ、製造コストも安くなる。またキャスターとコイルバネを組み合わせることで、一定以上の重さが加わらなければ通常のキャスターとして機能し、一定以上の重さが加わればキャスター部分が外側の枠状の中に収納され、キャスターの機能が果たせなくなる。即ち自動的にストッパーが、かかった状態になりストッパーを別に取りつける必要が無くなる。【選択図】なし【特許請求の範囲】
【請求項１】
椅子などに取り付けて、その移動を容易にする。
【請求項２】
本発明のキャスターをコイルバネが組み込まれた部品に取り付ける事で移動後、キャスターに一定以上の重さが加われば静止する、ストパーを併せ持つ機能。
【発明の詳細な説明】
【技術分野】
【０００１】本発明は、キャスターに関する。
【背景技術】
【０００２】従来のキャスターは方向性を確保するため接地部分（球形又はタイヤ状の部品）の中心とそれを取付ている金具（回転させるためベアリングを組み込んでいる）の中心をずらせている。そのため、接地する部品（球形など）の回転半径が大きくなっている。また、静止させる為にストパーを使用している。
形状（構造）から取付ける物に制約があった。
【発明の開示】
【発明の解決しようとする課題】
【０００３】従来のキャスターでは接地部品の回転半径が大きく小型化に限界があった。
【０００４】従来のキャスターではストッパーを取付けることで静止させていた。
【０００５】従来のキャスターでは接地部分を含めほとんどが露出していた。
【問題を解決するための手段】
【０００６】本発明はこのような従来の構造が有している問題を解決しようとするものであり、構造の簡素化と低コスト、用途の拡大を目的とするものである。
【発明の効果】
【０００７８】本発明は接地する部品の形状を変える事で接地部品の回転半径を最小限にした。
【０００８】本発明はストッパーを兼ねた部品に本キャスターを取付けることで外見上ほとんど目立たなくした。
【０００９】本発明はストッパーを兼ねた部品に組み込まれたコイルバネの強度とその強度に合ったキャスターを組み合わせる事で軽い物から重い物まで対応を可能にした。
【００１０】本発明は上記の方法を取り入れる事でキャスターの使用範囲を大幅に拡大出来る。
【発明の実施するための最良の形態】
【００１１】以下、本発明の実施の形態を図１〜図５に基づいて説明する。
【００１２】キャスター取付部品２にベアリングを組み込んだ部品３をはさみ、変型ボールの保護（カバー）を兼ねた部品４を取付ける。
【００１３】図において、変型ボール１に軸５を通し、変型ボールの保護を兼ねた  取付部品４に取り付ける。
【００１４】上記でキャスター部分が完成する。このキャスターだけで従来のキャスターと同様に使用出来る。
【００１５】上記キャスターをキャスターを可動部品６に取付ける。
【００１６】キャスター及びコイルバネを取り付ける部品８にキャスターが付いた可動部品６をはめ込み、コイルバネ７を入れ、固定部品９で止める。
【００１７】図４は本発明品に重量が加わっていない場合で、外枠８から変型ボール１が出ておりキャスターの機能を果たせる。
【００１８】図５は本発明品に一定以上の重量が加わった場合でキャスターは外枠８の中に収納されキャスターの機能を果たさなくなる。
【図面の簡単な説明】
【００１９】
【図１】本発明のキャスター部分断面図
【図２】同  キャスター部分の下から見た平面図
【図３】同  キャスター部分の見取り図
【図４】同  コイルバネを組み込んだ場合の断面図（加重なし）
【図５】同  コイルバネを組み込んだ場合の断面図（一定以上の加重あり）
【記号の説明】
【００２０】    １      変型ボール
２      キャスターの取付部品
３      ベアリングを組み込んだ部品
４      変型ボールの保護を兼ねた取付部品
５      変型ボールを保護を兼ねた取付部品に取り付ける（軸）
６      キャスターを取り付ける可動部品
７      コイルバネ
８      キャスター及びコイルバネを取り付ける部品（外枠）
９      固定部品
１０      キャスター取付ネジ穴
【手続補正書】
【提出日】平成18年7月21日(2006.7.21)
【手続補正１】
【補正対象書類名】図面
【補正対象項目名】全図
【補正方法】追加
【補正の内容】
【図１】
2007314154.tif 000002
【図２】
2007314154.tif 000003
【図３】
2007314154.tif 000004
【図４】
2007314154.tif 000005
【図５】
2007314154.tif 000006